(57)【要約】【課題】振動あるいは騒音の測定作業を簡易に行い得るエレベータの振動騒音測定方法を提供すること。【解決手段】このエレベータの振動騒音測定方法は、スマートフォンを使用する。スマートフォンは、振動センサおよびマイクロフォンと、振動および騒音の少なくとも一方を測定するための測定プログラムとを備える。また、エレベータの振動騒音測定方法は、スマートフォンをエレベータに設置するステップＳＴ１１と、エレベータ運転時における振動および騒音の少なくとも一方を測定するステップＳＴ１４とを備える。【選択図】図１
2015168560.tif 000002
【特許請求の範囲】
【請求項１】
振動センサおよびマイクロフォンと、振動および騒音の少なくとも一方を測定するための測定プログラムとを備えるスマートフォンを使用し、且つ、
前記スマートフォンをエレベータに設置するステップと、前記スマートフォンを用いてエレベータ運転時における振動および騒音の少なくとも一方を測定するステップとを備えることを特徴とするエレベータの振動騒音測定方法。
【請求項２】
前記スマートフォンをエレベータのかご内の床面に設置して、エレベータ運転時における振動を測定する請求項１に記載のエレベータの振動騒音測定方法。
【請求項３】
前記スマートフォンをエレベータのかご内の床面から所定の高さ位置に設置して、エレベータ運転時における騒音を測定する請求項１に記載のエレベータの振動騒音測定方法。
【請求項４】
前記測定により取得したデータを前記スマートフォンの通信回線を介して前記スマートフォン送信する請求項１〜３のいずれか一つに記載のエレベータの振動騒音測定方法。
【発明の詳細な説明】
【技術分野】
【０００１】
この発明は、エレベータの振動騒音測定方法に関する。
【背景技術】
【０００２】
エレベータの保守点検作業では、エレベータの運転時における振動あるいは騒音を測定する必要がある。
【先行技術文献】
【特許文献】
【０００３】
【特許文献１】特開２００９−７１４３号公報
【発明の概要】
【発明が解決しようとする課題】
【０００４】
この実施の形態は、振動あるいは騒音の測定作業を簡易に行い得るエレベータの振動騒音測定方法を提供することを目的とする。
【課題を解決するための手段】
【０００５】
上記目的を達成するため、この実施の形態にかかるエレベータの振動騒音測定方法は、スマートフォンを使用する。スマートフォンは、振動センサおよびマイクロフォンと、振動および騒音の少なくとも一方を測定するための測定プログラムとを備える。また、エレベータの振動騒音測定方法は、スマートフォンをエレベータに設置するステップと、前記スマートフォンを用いてエレベータ運転時における振動および騒音の少なくとも一方を測定するステップとを備える。
【図面の簡単な説明】
【０００６】
【図１】図１は、この実施の形態にかかるエレベータの振動騒音測定方法を示すフローチャートである。
【図２】図２は、図１に記載したエレベータの振動騒音測定方法を示す説明図である。
【図３】図３は、図１に記載したエレベータの振動騒音測定方法を示す説明図である。
【図４】図４は、図１に記載したエレベータの振動騒音測定方法を示す説明図である。
【図５】図５は、この実施の形態にかかるエレベータの振動騒音測定方法を示すフローチャートである。
【図６】図６は、図５に記載したエレベータの振動騒音測定方法を示す説明図である。
【図７】図７は、図５に記載したエレベータの振動騒音測定方法を示す説明図である。
【発明を実施するための形態】
【０００７】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【０００８】
［スマートフォンを用いたエレベータの振動騒音測定方法］
エレベータの振動騒音測定方法は、エレベータの運転時における振動あるいは騒音を測定する方法である。このエレベータの振動騒音測定方法では、振動あるいは騒音を測定するための専用計測器ではなく、汎用のスマートフォンが使用される。
【０００９】
スマートフォンとは、アプリケーションソフトウェア開発のためにＡＰＩ（Application Programming Interface）仕様が公開されており、且つ、タッチパネルを主たるユーザーインターフェイスデバイスとする多機能携帯電話をいう。スマートフォンは、一般に、タッチパネル部と、入力部と、通信部と、レシーバと、マイクロフォンと、振動センサと、記憶部と、主制御部と、ＲＡＭ（Random Access Memory）と、電源部とを備え、これらが筐体に組み込まれて構成される（図示省略）。
【００１０】
タッチパネル部は、タッチセンサおよび表示部から成るパネルであり、入力機能および表示機能を有する。その表示部には、例えば、液晶ディスプレイ（Liquid Crystal Display）、有機ＥＬ（Organic Electro−Luminescence）などの公知の表示パネルが採用され得る。入力部は、例えば、ボタン式のハードキー、感圧式あるいは静電式の入力デバイスであり、タッチパネル部に対して独立した入力機能を有する。通信部は、アンテナを有し、基地局により割り当てられるチャネルを介して無線信号回線（例えば、ＬＴＥ方式、３Ｇ方式、ＷＩＭＡＸ方式などの回線）を確立することにより、基地局との無線通信（電話通信および情報通信）を実現する。レシーバは、電話通信における相手側の音声や着信音等を出力する。
【００１１】
マイクロフォンは、音圧レベルを電気信号に変換するセンサである。振動センサは、例えば、加速度センサであり、スマートフォンの振動を検出する。
【００１２】
記憶部は、例えば、不揮発性メモリあるいは磁気記憶装置であり、主制御部での処理に用いられるプログラムやデータを格納する。また、記憶部には、各種のアプリケーションを実行するためのアプリケーションプログラムが格納される。主制御部は、例えば、ＣＰＵ（Central Processing Unit）であり、スマートフォンの動作を統括的に制御する。この主制御部は、記憶部に記憶されたデータを必要に応じて参照しつつ、記憶部に記憶されたプログラムを実行する。これにより、タッチパネル部、入力部、通信部等が制御されて、スマートフォンの各機能が実現される。また、主制御部は、記憶部から読み込んだプログラムや処理の実行により取得／生成／加工したデータを、ＲＡＭに一時的に記憶する。電源部は、蓄電池または外部電源から得られる電力を供給する。
【００１３】
また、スマートフォンは、上記のアプリケーションプログラムとして、振動測定プログラムおよび騒音測定プログラムを有する。
【００１４】
振動測定プログラムは、振動を測定するためのプログラムであり、後述する振動測定に用いられる。この振動測定プログラムは、スマートフォンの振動センサを用いてスマートフォンの振動レベルおよび振動周波数を測定する。また、振動測定プログラムは、その測定データを生成し、スマートフォンの表示部に表示し、また、スマートフォンの記憶部に保存できる。
【００１５】
騒音測定プログラムは、騒音を測定するためのプログラムであり、後述する振動測定に用いられる。この振動測定プログラムは、スマートフォンのマイクロフォンを用いて、スマートフォン周辺の騒音レベルおよび騒音周波数を測定する。また、振動測定プログラムは、その測定データを生成し、スマートフォンの表示部に表示し、また、スマートフォンの記憶部に保存できる。
【００１６】
なお、振動測定プログラムおよび騒音測定プログラムは、公知のものを採用できる。また、これらのプログラムは、いわゆるアプリとして、インターネットからダウンロードして取得されても良いし、予めスマートフォンにインストールされても良い。
【００１７】
［エレベータ運転時における振動の測定方法］
図１は、この実施の形態にかかるエレベータの振動騒音測定方法を示すフローチャートである。図２〜図４は、図１に記載したエレベータの振動騒音測定方法を示す説明図である。これらの図において、図１は、エレベータ運転時における振動の測定方法を示している。また、図２は、エレベータでの振動測定の様子を示し、図３および図４は、スマートフォンの表示画面を示している。
【００１８】
エレベータ運転時における振動の測定は、次のように行われる（図１参照）。
【００１９】
ステップＳＴ１１では、図２に示すように、スマートフォン１が、エレベータ２に設置される。例えば、図２の構成では、スマートフォン１が、エレベータ２のかご内の床面に設置されている。このように、測定器であるスマートフォン１を床面に設置することにより、乗員が感じる振動を精度良く測定できる。
【００２０】
ステップＳＴ１２では、スマートフォン１の振動測定プログラムが起動される。具体的には、測定者が、スマートフォン１を操作することにより、スマートフォン１の主制御部が記憶部に格納されている振動測定プログラムを読み込んで実行する。
【００２１】
ステップＳＴ１３では、エレベータ２を停止状態として、ゼロ調整が行われる。したがって、振動測定は、エレベータ２の停止状態を基準として行われる。なお、ゼロ調整には、振動測定プログラムの機能が用いられる。具体的には、スマートフォン１の主制御部が、振動測定プログラムを実行して、ゼロ調整用の入力画面をスマートフォン１の表示部に表示する。そして、測定者が、この表示部の表示をタッチ操作することにより、ゼロ調整が実行される。
【００２２】
ステップＳＴ１４では、エレベータを停止状態（ステップＳＴ１３）から上昇あるいは下降させて、エレベータ２の作動時における振動が測定される。例えば、エレベータ２の始動時、加速走行時、低速走行時、減速走行時および制動時における振動が連続的に測定される。具体的には、スマートフォン１の主制御部が、振動測定プログラムを実行することにより、スマートフォン１の振動センサを用いて振動を測定する。また、主制御部が、振動の測定データを生成して、スマートフォン１のＲＡＭに一時的に記憶する。振動の測定データは、例えば、振動レベル、振動周波数に関する。
【００２３】
ステップＳＴ１５では、振動の測定データが、スマートフォン１のタッチパネル部１１（表示部を兼ねる）に表示される。具体的には、スマートフォン１の主制御部が、振動測定プログラムを実行することにより、測定データを用いた所定の表示画面データを生成してタッチパネル部１１に表示する。例えば、図３では、振動レベルの測定データの履歴が、スマートフォン１の長手方向を時間軸として、スマートフォン１のタッチパネル部１１に表示されている。また、図４では、振動周波数にかかる測定データの履歴が、スマートフォン１の長手方向を時間軸として、タッチパネル部１１に表示されている。このように、１つの表示画面に１つの情報を大きく表示することにより、各測定データの視認性が向上する。また、例えば、測定者がタッチパネル部１１をスワイプ操作することにより、スマートフォン１の主制御部が図３および図４の表示を切り替える。また、スマートフォン１の主制御部が、これらの測定データを記憶部に保存できる。この測定データの保存操作は、例えば、測定者がスマートフォン１をタッチ操作して振動測定プログラムのデータ保存メニューを選択することにより行われる。
【００２４】
ステップＳＴ１６では、振動の測定データが、スマートフォン１の通信回線を介して外部（例えば、測定データを管理する管理事務所の情報端末）に送信される。このとき、スマートフォン１の無線通信機能を用いることにより、測定データを測定現場から管理事務所へ簡易に送信できる。また、この送信操作は、例えば、測定者がスマートフォン１をタッチ操作して振動測定プログラムのデータ送信メニューを選択することにより行われる。
【００２５】
［エレベータ運転時における騒音の測定方法］
図５は、この実施の形態にかかるエレベータの振動騒音測定方法を示すフローチャートである。図６および図７は、図５に記載したエレベータの振動騒音測定方法を示す説明図である。これらの図において、図５は、エレベータ運転時における騒音の測定方法を示している。また、図６は、エレベータでの振動測定の様子を示し、図７は、スマートフォンの表示画面を示している。
【００２６】
エレベータ運転時における騒音の測定は、次のように行われる（図５参照）。
【００２７】
ステップＳＴ２１では、スマートフォン１がエレベータ２のかご内に設置される。このとき、スマートフォン１をかご内の床面から離れて配置されることにより、エレベータ２内の乗客が聞く騒音を適正に測定できる。例えば、図６の構成では、三脚３がかご内の床面に立てられ、スマートフォン１が三脚の上部に取り付けられる。三脚の高さは、特に限定はないが、スマートフォン１を床面から１０ｃｍ以上離して支持できることが好ましい。これにより、騒音を精度良く測定できる。
【００２８】
ステップＳＴ２２では、スマートフォン１の騒音測定プログラムが起動される。具体的には、測定者が、スマートフォン１を操作することにより、スマートフォン１の主制御部が記憶部に格納されている騒音測定プログラムを読み込んで実行する。
【００２９】
ステップＳＴ２３では、エレベータ２を停止状態として、ゼロ調整（暗騒音の測定）が行われる。したがって、振動測定は、エレベータ２の停止状態を基準として行われる。なお、暗騒音の測定には、騒音測定プログラムの機能が用いられる。具体的には、スマートフォン１の主制御部が、騒音測定プログラムを実行して、ゼロ調整用の入力画面をスマートフォン１の表示部に表示する。そして、測定者が、この表示部の表示をタッチ操作することにより、ゼロ調整が実行される。
【００３０】
ステップＳＴ２４では、エレベータを停止状態（ステップＳＴ２３）から上昇あるいは下降させて、エレベータ２の作動時における騒音が測定される。例えば、エレベータ２の始動時、加速走行時、低速走行時、減速走行時および制動時における騒音が連続的に測定される。具体的には、スマートフォン１の主制御部が、騒音測定プログラムを実行することにより、スマートフォン１のマイクロフォンを用いて周囲の音圧レベルを測定する。また、スマートフォン１の主制御部が、騒音の測定データを生成して、スマートフォン１のＲＡＭに一時的に記憶する。騒音の測定データは、例えば、騒音レベル、騒音周波数に関する。
【００３１】
ステップＳＴ２５では、騒音の測定データが、スマートフォン１のタッチパネル部１１（表示部を兼ねる）に表示される。具体的には、スマートフォン１の主制御部が、騒音測定プログラムを実行することにより、測定データを用いた所定の表示画面データを生成してタッチパネル部１１に表示する。例えば、図７では、現在の騒音レベルの測定データと、騒音レベルの測定データの履歴と、騒音周波数の測定データの履歴とが、スマートフォン１のタッチパネル部１１に同時に表示されている。このように、１つの表示画面に複数の情報を表示することにより、複数の測定データを容易に比較して観察できる。また、スマートフォン１の主制御部が、これらの測定データを記憶部に保存できる。この測定データの保存操作は、例えば、測定者がスマートフォン１をタッチ操作して騒音測定プログラムのデータ保存メニューを選択することにより行われる。
【００３２】
ステップＳＴ２６では、騒音の測定データが、スマートフォン１から外部に送信される。このとき、スマートフォン１の無線通信機能を用いることにより、測定データを測定現場から管理事務所へ簡易に送信できる。また、この送信操作は、例えば、測定者がスマートフォン１をタッチ操作して騒音測定プログラムのデータ送信メニューを選択することにより行われる。
【００３３】
［効果］
以上説明したように、このエレベータの振動騒音測定方法は、スマートフォン１を使用する（図１および図５参照）。スマートフォン１は、振動センサおよびマイクロフォンと、振動および騒音の少なくとも一方を測定するための測定プログラムとを備える。また、エレベータの振動騒音測定方法は、スマートフォン１をエレベータ２に設置するステップＳＴ１１、ＳＴ２１と、スマートフォン１を用いてエレベータ運転時における振動および騒音の少なくとも一方を測定するステップＳＴ１４、ＳＴ１４とを備える（図１および図５参照）。
【００３４】
かかる構成では、振動あるいは騒音を測定するための専用計測器ではなく、汎用のスマートフォンを使用するので、振動あるいは騒音の測定作業を簡易に行い得る利点がある。具体的には、測定にあたり専用計測器を準備する必要が無く、また、専用計測器を扱うための専門知識が不要となる。
【００３５】
また、このエレベータの振動騒音測定方法は、スマートフォン１をエレベータ２のかご内の床面に設置して、エレベータ運転時における振動を測定する（図２参照）。かかる構成では、スマートフォン１を床面に設置することにより、乗員が感じる振動を精度良く測定できる利点がある。
【００３６】
また、このエレベータの振動騒音測定方法は、スマートフォン１をエレベータ２のかご内の床面から所定の高さ位置に設置して、エレベータ運転時における騒音を測定する（図６参照）。かかる構成では、スマートフォン１をかご内の床面から離れて配置することにより、エレベータ２内の乗客が聞く騒音を適正に測定できる利点がある。
【００３７】
また、このエレベータの振動騒音測定方法は、測定により取得したデータをスマートフォン１の通信回線を介してスマートフォン１から送信する（図１のステップＳＴ１６および図２のステップＳＴ２６）。これにより、測定データを測定現場から管理事務所へ簡易に送信できる利点がある。例えば、測定データを記録メディアや用紙に記録して持ち運ぶ負担を軽減できる。
【符号の説明】
【００３８】
１：スマートフォン、１１：タッチパネル部、２：エレベータ、３：三脚
【図１】
2015168560.tif 000003
【図２】
2015168560.tif 000004
【図３】
2015168560.tif 000005
【図４】
2015168560.tif 000006
【図５】
2015168560.tif 000007
【図６】
2015168560.tif 000008
【図７】
2015168560.tif 000009
【手続補正書】
【提出日】平成26年4月15日(2014.4.15)
【手続補正１】
【補正対象書類名】特許請求の範囲
【補正対象項目名】請求項４
【補正方法】変更
【補正の内容】
【請求項４】
前記測定により取得したデータを前記スマートフォンの通信回線を介して前記スマートフォンから送信する請求項１〜３のいずれか一つに記載のエレベータの振動騒音測定方法。
【手続補正２】
【補正対象書類名】明細書
【補正対象項目名】００３３
【補正方法】変更
【補正の内容】
【００３３】
［効果］
以上説明したように、このエレベータの振動騒音測定方法は、スマートフォン１を使用する（図１および図５参照）。スマートフォン１は、振動センサおよびマイクロフォンと、振動および騒音の少なくとも一方を測定するための測定プログラムとを備える。また、エレベータの振動騒音測定方法は、スマートフォン１をエレベータ２に設置するステップＳＴ１１、ＳＴ２１と、スマートフォン１を用いてエレベータ運転時における振動および騒音の少なくとも一方を測定するステップＳＴ１４、ＳＴ２４とを備える（図１および図５参照）。
【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
振動センサおよびマイクロフォンと、振動および騒音の少なくとも一方を測定するための測定プログラムとを備えるスマートフォンを使用し、且つ、
前記スマートフォンをエレベータのかご内に設置するステップと、前記スマートフォンを用いてエレベータ運転時における振動および騒音の少なくとも一方を測定するステップとを備えることを特徴とするエレベータの振動騒音測定方法。
【請求項２】
前記スマートフォンをエレベータのかご内の床面に設置して、エレベータ運転時における振動を測定する請求項１に記載のエレベータの振動騒音測定方法。
【請求項３】
前記スマートフォンをエレベータのかご内の床面から所定の高さ位置に設置して、エレベータ運転時における騒音を測定する請求項１に記載のエレベータの振動騒音測定方法。
【請求項４】
前記測定により取得したデータを前記スマートフォンの通信回線を介して前記スマートフォンから送信する請求項１〜３のいずれか一つに記載のエレベータの振動騒音測定方法。
【手続補正２】
【補正対象書類名】明細書
【補正対象項目名】０００５
【補正方法】変更
【補正の内容】
【０００５】
上記目的を達成するため、この実施の形態にかかるエレベータの振動騒音測定方法は、スマートフォンを使用する。スマートフォンは、振動センサおよびマイクロフォンと、振動および騒音の少なくとも一方を測定するための測定プログラムとを備える。また、エレベータの振動騒音測定方法は、スマートフォンをエレベータのかご内に設置するステップと、前記スマートフォンを用いてエレベータ運転時における振動および騒音の少なくとも一方を測定するステップとを備える。